(57)【要約】【課題】火または煙を防ぐ手段を設けても、乗場側を自由に設計できるエレベーター装置を提供することにある。【解決手段】本発明では、乗場ドアの乗場側の面と昇降路仕切建屋壁の昇降路側の面との間に、火または煙の流通を防ぐ手段を配置することにした。例えば、スクリーンを、乗場ドア開放時に該ドアを収納する戸袋スペースと昇降路仕切建屋壁との間に収納することにより、火または煙を防ぐ手段を設けるための建屋内のスペースを新たに確保する必要がなくなる。【選択図】  図７
2004155572.tif 000002
【特許請求の範囲】
【請求項１】
昇降路と乗場とを連通する出入口の一部を区画する三方枠と、前記出入口を開閉する乗場ドアを有するエレベーター装置において、前記乗場ドアの乗場側の面と昇降路仕切建屋壁の昇降路側の面との間に、火または煙の流通を防ぐ手段を備えたことを特徴とするエレベーター装置。
【請求項２】
昇降路と乗場とを連通する出入口の一部を区画する三方枠と、前記出入口を開閉する乗場ドアを有するエレベーター装置において、前記乗場ドアの開放時に該ドアを収納する戸袋スペースと昇降路仕切建屋壁との間に、火または煙の流通を防ぐ手段を収納したことを特徴とするエレベーター装置。
【請求項３】
請求項１または２のいずれかにおいて、
前記火または煙の流通を防ぐ手段は、前記出入口を開閉するスクリーンであって、開状態のとき折り返しガイドによって１回以上折り返して収納されていることを特徴とするエレベーター装置。
【請求項４】
請求項３において、
前記スクリーンは、閉状態のとき前記折り返しガイドによって前記三方枠の縦枠に押し付けられることを特徴とするエレベーター装置。
【請求項５】
昇降路と乗場とを連通する出入口の一部を区画する三方枠と、前記出入口を開閉する乗場ドアを有するエレベーター装置において、前記乗場ドアの乗場側の面と昇降路仕切建屋壁の昇降路側の面との間に、火または煙の流通を防ぐドアを設けると共に、該ドアが前記乗場ドアの開閉方向と平行に移動することを特徴とするエレベーター装置。
【請求項６】
請求項３乃至５のいずれかにおいて、
前記スクリーンまたはドアの開閉駆動手段として、モーターまたはウェイトのうち少なくともいずれか一方を用いたことを特徴とするエレベーター装置。
【請求項７】
請求項３乃至６のいずれかにおいて、
前記スクリーンまたはドアの開閉駆動手段が、前記三方枠の縦枠と昇降路仕切建屋壁との間に設置されていることを特徴とするエレベーター装置。
【発明の詳細な説明】
【０００１】
【発明の属する技術分野】
本発明は、火災時等に、昇降路と乗場とを連通する出入口を塞ぐ機能を備えたエレベーター装置に関する。
【０００２】
【従来の技術】
従来から、火災時等に出入口を塞ぐ防火扉や防火シャッターを設けたエレベーター装置が提案されている。例えば、特許文献１には、隔壁の乗場側に防火扉を設けたものが記載されている。
【０００３】
【特許文献１】
特開２００２−２２６１６３号公報（第５図，第６図）
【０００４】
【発明が解決しようとする課題】
しかしながら、上述した特許文献１のエレベーターでは、防火扉を収納するためのスペースを乗場側に確保する必要があるので、乗場側の設計を自由に行うことが困難になってしまう。このことは、炎の流通だけでなく煙の流通をも防ぐ防煙扉を設ける場合であっても同様である。
【０００５】
したがって、本発明の目的は、火または煙を防ぐ手段を設けても、乗場側を自由に設計できるエレベーター装置を提供することである。
【０００６】
【課題を解決するための手段】
上述の目的を達成するために、本発明では、乗場ドアの乗場側の面と昇降路仕切建屋壁の昇降路側の面との間に、火または煙の流通を防ぐ手段を配置する構成とした。
【０００７】
【発明の実施の形態】
以下、本発明の実施例につき、図面を用いて説明する。
【０００８】
図１は本発明の第１の実施例を示すエレベーター装置の出入口を昇降路側から見たときの正面図、図２は図１のＡから見たときの断面図、図３は図１のＢから見たときの断面図、図４は図１のＣから見たときの断面図、図５は図１のＤから見たときの断面図、図６は図１のＥから見たときの断面図である。
【０００９】
図１に示す通り、本実施例のエレベーター装置は、昇降路と乗場とを連通する出入口を開閉する乗場ドア１ａ及び１ｂと、出入口の一部の三方を区画する三方枠のうち左右の縦枠２ａ及び２ｂと、上方の上枠３とを有し、乗場ドア１ａ及び１ｂの上部にはそれぞれドアハンガ５ａ及び５ｂが設けられている。このドアハンガ５ａ及び５ｂを介して、ポケット６に取り付けたドアレール７に、乗場ドア１ａ及び１ｂが懸架されている。更に、乗場ドア１ａ及び１ｂは、ロープ（図示せず）によって連結されており、乗場ドアのドアロック装置９が施錠されると、開くことができなくなる。一方、乗場ドア１ａ及び１ｂの下部にはドアシュー８ａ〜８ｄが設けられており、図２に示す通り、シル４に設けたドア溝１２の中に、ドアシュー８ａ〜８ｄを間口方向へ摺動可能にはめ込むことで、乗場ドア１ａ及び１ｂを開閉できるような構成となっている。
【００１０】
また、本実施例のエレベーター装置では、防火防煙手段あるいは遮炎遮煙手段として、スクリーンを用いる。
【００１１】
図７は、通常時すなわちスクリーン１１が出入口を完全に開放しているときに、出入口の上方から見た場合の上面図である。尚、点線は、乗場ドア１ａの開放時における乗場ドア１ａの位置を示している。乗場ドアの開放時に乗場ドアを収納する戸袋スペースと昇降路仕切建屋壁との間に、スクリーン１１が張った状態で収納されており、途中、折り返しガイド１７により折り返し、縦枠２ａに設けられた固定板５３に固定されている。ここで、本実施例における戸袋スペースとは、乗場ドアの開放時位置を含み間口方向全体に広がる空間全体をいう。したがって、例えば図８のように、乗場ドア開放時位置を超えてスクリーン１１が間口方向に張り出している構成であっても良い。
【００１２】
まず、スクリーン１１を牽引する先頭ガイド１３について説明する。この先頭ガイド１３は、縦枠２ａと乗場ドア１ａとの間に設けられ、図３に示す通り、先頭ガイド１３の上部は、上枠３に設けられた上側スクリーンレール１４により、間口方向に摺動可能となっており、スクリーン１１を開閉できるような構成となっている。同様に、図２及び図７に示す通り、先頭ガイド１３の下部は、シル４に設けられたスクリーン溝１６及び下側スクリーンレール１５により、間口方向に摺動可能となっており、スクリーン１１を開閉できるような構成となっている。また、先頭ガイド１３及び、スクリーン１１の上下部は、スクリーンレール１４，１５をそれぞれ覆う構成となっているので、遮煙性が高まる。
【００１３】
次に、折り返しガイド１７について説明する。この折り返しガイド１７は、縦枠２ａと乗場ドア１ａとの間に設けられ、図５に示す通り、折り返しガイド１７の上部は、ポケット６の下端に固定された上側折り返しガイドレール１８により、間口方向に摺動可能となっている。また、折り返しガイドの下部は、図６に示す通り、シル４の上端に固定された下側折り返しガイドレール１９によって、間口方向に摺動可能となっている。
【００１４】
また、図９，図１０に示す通り、スクリーン１１は、先頭ガイド１３と挟み板５４との間に挟みこむように固定され、上部では先頭ガイド１３の曲げの内側に固定されている。挟み板５４に示す丸部はスポット溶接またはネジ等により先頭ガイドと固定する箇所を示しており、この部分をスクリーン１１は抜いた構成となっている。
【００１５】
更に、図１１に示す通り、折り返しガイド１７には、スクリーン１１を中継して折り返す抜き穴５５が設けられ、その先端には、ロープ２０を折り返す抜き穴部５６が設けられている。このように、穴５６でロープ２０を保持することにより、スクリーン端部を保持することができ、開閉動作中もスクリーン１１がよれることを防ぐことができる。尚、図９，図１０及び図１１は、上端側を示しているが、下端側についても同様である。
【００１６】
ここで、本実施例のエレベーター装置において、スクリーン１１を開閉駆動させるのに用いられるロープ２０，２１，３１及び３８の構成について説明する。
【００１７】
図１に示す通り、ロープ２０，２１はスクリーン１１の上下をそれぞれ支持するものであり、これらのロープ２０，２１は、途中、先頭ガイド１３の上下端部において固定され、一端は固定板５３に固定されている。
【００１８】
一方、ロープ２０の他端側は、上枠３に設けた上側スクリーンレール１４と上枠仕切り板２２との間を通って（図３参照）、図１２に示すように、まず上枠３の水平部に対し上側に設けたプーリ２６を介してシーブ２４に巻き付けられる。尚、このシーブ２４は、上枠３と縦枠２ｂを連結するように固定したモーター３０の軸に設けられている。更にロープ２０の他端側は、プーリ２５を介して下方向へ案内され、図１に示すプーリ２８に掛けられ、最終的に縦枠２ｂに設けたロープ固定板２９に固定されている。また本実施例では、ウェイト２７が取り付けられたプーリ２８を介して、ロープ２０が固定板２９に設置する構成であるが、ロープ２０を直接ウェイト２７に取り付けても良い。
【００１９】
次に、ロープ２１の他端側は、まずシル４の下側に設けたプーリ３２を介して上方向へ案内され、図１２に示す通り、上枠３の水平部に対し上側に設けたプーリ３４を介してシーブ２３に巻き付けられる。尚、このシーブ２３は、シーブ２４と同様にモーター３０の軸に設けられている。更にロープ２１の他端側は、プーリ３５を介して下方向へ案内され、ロープ２０と連結金具３７によって連結されている。このように連結された後は、ロープ２０のみがプーリ２８へ掛けられる構成としている。
【００２０】
また、スクリーン溝１６を覆っているロープ３１は、一端が先頭ガイド１３に固定され、他端側は図１に示す通り、シル４に設けたプーリ３３により上方向に案内されているが、途中で連結金具３６によりロープ２１と連結されている。このように連結された後は、ロープ２１のみが上方へと案内されるような構成としている。
【００２１】
ロープ２１と３１、及び２０と２１の伸びに大きな差があるときは連結金具３６，３７を用いずにそれぞれのロープに対してモーター３０の軸にシーブを設け、ロープ伸びに合わせてシーブ径を変えることもできる。また、溝をカバーしているロープ３１だけでスクリーンの下側を駆動することも可能であるが、ロープ３１は乗場から切断することが可能な構成となっているため、乗場から見えない位置に配置したロープ２１を併設することが望ましい。先頭ガイド１３の上側を駆動するロープ２０についても同様の理由から乗場から見えない位置に配置することが望ましい。尚、ロープ３１により、溝にゴミやほこりなどが堆積することを防ぎ、先頭ガイド１３、及びスクリーン１１をスムーズに開閉することができることは明らかである。
【００２２】
また図１に示すように、ロープ３８の一端は、折り返しガイド１７の中間高さ付近に取り付けられており、他端側は、戸袋柱５２に設けられたプーリ３９により、折り返される。更にこのロープ３８の他端側は、縦枠２ａに固定したモーター４０の軸に設けたシーブ４１に巻きつけられた後、プーリ７０を介してウェイト７１に取り付けられる構成としている。
【００２３】
以上のように、本実施例におけるスクリーン１１，先頭ガイド１３，折り返しガイド１７及び固定板５３は、図２，図４に示す通り、全て、乗場ドア１ａの乗場側の面と昇降路仕切建屋壁４２の昇降路側の面との間のスペースＷに収納されており、新たにスクリーン１１を収納するスペースを建屋内に確保する必要がない。また、モーター３０，４０及びウェイト２７，７１等のスクリーン駆動手段が三方枠の縦枠と仕切建屋壁との間に設けられているので、同様に建屋内に新たなスペースを確保する必要がない。
【００２４】
以下、スクリーン１１が開閉する動作について、説明する。まず、火災時等に、スクリーン１１が閉鎖する動作について詳述する。図１において、スクリーン１１の閉じ信号が発生するとモーター３０に取り付けられたシーブ２３，２４がロープ２０，２１を引っ張る様に回転し、先頭ガイド１３に閉じ力を与えて先頭ガイド１３を開端で保持している板バネ４３，４４の反力に打ち勝って先頭ガイド１３を閉じ方向に駆動する。また、ウェイト２７はウェイト７１よりも重い設定となっており、板バネ４３，４４を超えた後はウェイト２７の作用により、先頭ガイド１３にスクリーン１１を閉じるために必要な力が作用する。このため、先頭ガイド１３が板バネ４３，４４を乗り超えた後は、モーター３０に通電されていなくても先頭ガイド１３は閉力を付加されており、スクリーン１１は自動的に閉まり、エレベーター乗場の出入口を覆う。
【００２５】
一方、スクリーン１１が閉じ方向に駆動されると、折り曲げガイド１７は先頭ガイド１３の半分の速度で閉じ方向に移動する。先頭ガイド１３が閉端に達するとウェイト２７の作用により、先頭ガイド１３は縦枠２ｂに押し付けられ（図１３参照）、防煙性能を高めるとともに、電源の供給がなくなった場合でも先頭ガイド１３を縦枠２ｂに押し付け、防煙性能を維持することができる。このとき、図１３に示す折り返しガイド１７は出入口高さ全域に渡って設けてある防煙部４５により、スクリーン１１を縦枠２ａに押し付ける構成となっており、これにより防煙性能を向上することができる。尚、ウェイト２７を細長い形状とすることで、ウェイト２７は縦枠に収まりやすくなっている。また、板バネ４３，４４はソレノイドロックなどでも代用ができる。
【００２６】
次に、スクリーン１１の開放動作について詳述する。図１において、スクリーンの開き指令が発生するとモーター４０が折り返しガイド１７を開き方向に駆動するようにシーブ４１を回転し、ウェイト７１は下方向に下がっていく。このとき先頭ガイド１３は開き方向に移動する。先頭ガイド１３が開き端付近に設けた板バネ４３，４４を乗り超えると上下のストッパー４７，４９に設けたセンサー４６，４８がスクリーンの開完了を検出し、モーター４０の回転を停止する。このセンサー４６，４８はエレベーターが通常運転中に、乗場ドアが開く際に先頭ガイド１３とドア１ａの間で指などを引き込まれたとき、先頭ガイド１３が開き方向に動くのでセンサー４６，４８は信号を発信し、乗場ドア１ａ，１ｂを速やかに停止するシステム構成となっている。なお、板バネ４３，４４はモーター３０が通電されていない状態でもウェイト２７の閉じ力に打ち勝って先頭ガイド１３を開き端で保持する力を先頭ガイド１３に与えている。板バネ４３，４４を付ける代わりに、モーター３０、またはモーター４０をブレーキ付きモーターとしてもよい。
【００２７】
また、本実施例におけるエレベーター装置は、乗場ドア１ａに設けたドアロック９の施錠及び解錠を検出するドアロックスイッチ１０を備えている。例えば、ドアロック９が解錠されたことをドアロックスイッチ１０が検出すると、スクリーン１１が閉じた状態、あるいは閉じ動作中の状態において、閉じ動作を停止し、モーター４０によってスクリーン１１を開き、開き端で一定時間保持したあと、再び閉じ動作を開始するように構成されている。これにより、エレベーター装置の乗りかご内に閉じ込められた人等が、閉じたスクリーン１１を開けて乗りかごから出入することも可能となる。尚、電気が供給されなくなったときのために、開き方向に引っ張ることができる取手紐５０をスクリーン１１に設けるとともに、スクリーンの開き方を示す案内を明記しておくことが望ましい。この取手紐５０を開き方向に引っ張ると、ロープ３８はウェイト７１の作用により、張られた状態で折り返しガイド１７を戸袋方向に牽引することができる。
【００２８】
モーター３０，４０は、その軸に取り付けてあるシーブ２３，２４及び４１の径を最小に抑え、更にモーター本体を軸方向に長い構成とすることで、縦枠２ａ，２ｂ及び上枠３の中に収納することができる。更にモーター３０の軸に取り付けているシーブ２３，２４は、それぞれのロープの伸びに合せて径を微小に変えており、これにより、先頭ガイド１３の上下の速度を同じ速度にすることができ、スクリーンを閉じる際にスムーズな動作が実現できる。尚、ロープ伸びがスクリーンの動作に影響しない場合は、シーブ２３，２４の径を同じとしても問題ない。
【００２９】
更に、本実施例におけるエレベーター装置では、火災等が検出された場合とは関係なく防火防煙スクリーンを開閉することの可能なスイッチ５１が設けられている。例えば、火災管制運転システムと無関係に防火防煙スクリーン単独の保守点検システムを確認する場合や、火災発生時に火災管制運転が機能しない場合に有効な手段となる。スイッチ５１は基準階に一箇所だけ設けて全階の防火防煙スクリーンを運転できるシステムとしたり、各階ごとに設けて各階ごとの防火防煙スクリーンを運転できるシステムとしたりすることができる。防火防煙スクリーンを運転するスイッチ５１は、例えばポケット６の内部などエレベーターの乗場から見えない位置に配置し、いたずら防止を図っても良い。
【００３０】
以下、本発明の第２の実施例について説明する。図１４は、本発明の第２の実施例を示すエレベーター装置におけるスクリーン駆動部の拡大正面図である。まず、スクリーンの閉じ指令が発生すると、ソレノイドロック５７が通電してピン５８を押出し、軸６０を中心に回転するようにフック５９を駆動する。このとき、フック５９はロープ２０，２１を連結する金具３７に設けた鍵６１を解錠し、ウェイトがフリーとなってスクリーン１１が閉じる構成となっている。スクリーンが開いた状態ではフック５９の作用によりスクリーン１１を開いた状態で保持しているので、板バネ４３，４４は必要ない。本実施例によれば、火災時に停電したときでもスクリーンが閉じる構成となっており、バックアップ用の電源などを必要としない。更に、図１５に示すように、モーター３０の代わりにソレノイド５７を備えると共に、シーブ２３，２４と同軸で一体となって回転する歯付きプーリ７２にピン５８を嵌めることで、ウェイト２７の落下をおさえるように構成しても良い。
【００３１】
次に、本実施例の第３の実施例について、図１６を用いて説明する。スクリーン１１の代わりに防火防煙性能を有するドア６２，６３を、乗場ドア１ａの乗場側の面と昇降路仕切建屋壁４２の昇降路側の面との間に収納し、乗場ドア１ａの開閉方向と平行に移動できる構成としたものである。駆動装置の基本的な原理は第１の実施例と同じであるが、スクリーンのように折り返すことができないため、第１防火防煙ドア６２が出入口間口の中心付近にくると、第２防火防煙ドア６３と係合部６４，６５により係合して乗場ドアのようにエレベーター乗場出入口を覆う構成となっている。また、開くときは係合部６５と６９が係合してドア６３を開き方向に駆動する。このときドア６２，６３のフレームのみを金属で構成し、パネル部分をスクリーンとすることでドアを軽量化することができ、モーター３０，４０を小型化することができる。
【００３２】
次に、本発明の第４の実施例について、図１７を用いて説明する。スクリーン１１は先頭ガイド１３に一端が固定されており、間口方向に移動可能な折り返しガイド６６を介して折り返される点で第１の実施例と同様であるが、縦枠２ａに設けた固定中継ローラー６７によりさらに戸袋側へ折り返され、折り返しガイド６６に設けたもう一方のスクリーン折り返し穴を介して再び縦枠２ａの方へ折り返され、もう一方の端を縦枠２ａに固定された固定板５３に固定されている点が異なる。この構成によれば、第１の実施例の構成よりも更に狭い幅で広い間口をカバーするスクリーンを収納できる。片開き３枚戸などのドア形式に対して有効な手段である。
【００３３】
次に、本発明の第５の実施例について、図１８を用いて説明する。第１の実施例と異なり、折り返しガイド１７がなく、代わりに開き端保持ガイド６８ａ，６８ｂがスクリーン１１ａ，１１ｂの端部を保持する機構としている。この構成は中央開きドアに有効な手法であり、第１の実施例の構成と比べると乗場ドアと建屋との隙間Ｗが狭くともスクリーンの折り返しがないために収納が可能となる。また、スクリーンを折り返す第１の実施例や第４の実施例の構成と本実施例とを組み合わせて狭い戸袋寸法で広い間口をカバーすることが可能である。
【００３４】
以上の実施例は、防火防煙手段を間口方向へ移動させる構成であるが、図１９，図２０に示すように、乗場ドア１の乗場側の面と昇降路仕切建屋壁４２の昇降路側の面との間を、防火防煙手段であるシャッター７６を鉛直方向に移動させ、乗場出入口の上部に収納するように構成しても、乗場側の自由な設計を担保することができる。
【００３５】
【発明の効果】
本発明によれば、火または煙の流通を防ぐ手段を設置しても、乗場側の設計を自由に行えるエレベーター装置を実現できる。
【図面の簡単な説明】
【図１】本発明の第１の実施例におけるエレベーター装置の全体正面図である。
【図２】図１のＡから見たときの断面図である。
【図３】図１のＢから見たときの断面図である。
【図４】図１のＣから見たときの断面図である。
【図５】図１のＤから見たときの断面図である。
【図６】図１のＥから見たときの断面図である。
【図７】本発明の第１の実施例におけるエレベーター装置のスクリーン開放時の出入口上面図である。
【図８】図７とは別のエレベーター装置のスクリーン開放時の出入口上面図である。
【図９】本発明の第１の実施例におけるエレベーター装置のスクリーンの斜視図である。
【図１０】本発明の第１の実施例におけるエレベーター装置のスクリーンの分解斜視図である。
【図１１】本発明の第１の実施例におけるエレベーター装置の折り返しガイドを示す斜視図である。
【図１２】図１のＦから見たときの断面図である。
【図１３】本発明の第１の実施例におけるエレベーター装置のスクリーン閉鎖時の出入口上面図である。
【図１４】本発明の第２の実施例におけるエレベーター装置の駆動部拡大図である。
【図１５】本発明の第２の実施例におけるエレベーター装置の一部を示す図である。
【図１６】本発明の第３の実施例におけるエレベーター装置のドア開放時の出入口上面図である。
【図１７】本発明の第４の実施例におけるエレベーター装置のスクリーン開放時の出入口上面図である。
【図１８】本発明の第５の実施例におけるエレベーター装置のスクリーン開放時の出入口上面図である。
【図１９】シャッターを鉛直方向へ移動させるように構成したエレベーター装置の出入口断面図である。
【図２０】シャッターを鉛直方向へ移動させるように構成したエレベーター装置の出入口上面図である。
【符号の説明】
１ａ，１ｂ…乗場ドア、２ａ，２ｂ…縦枠、３…上枠、４…シル、９…ドアロック、１０…ドアロックスイッチ、１１…スクリーン、１３…先頭ガイド、１４…上側スクリーンレール、１５…下側スクリーンレール、１６…スクリーン溝、１７…スクリーン折り返しガイド、１８…上側折り返しガイドレール、１９…下側折り返しガイドレール、２０…ロープ（上側）、２１…ロープ（下側）、２３，２４，４１…シーブ、２５，２６，２８，３２，３３，３４，３５，３９，７０…プーリ、２７，７１…ウェイト、２９…固定板、３０，４０…モーター、３１，３８…ロープ、３６，３７…連結金具、４２…昇降路仕切建屋壁、４３，４４…板バネ、４５…防煙部、４６，４８…センサー、４７，４９…ストッパー、５０…取手紐、５１…スイッチ、５９…フック、６２…第１防火防煙ドア、６３…第２防火防煙ドア、７３…乗場、７４…乗かご、７５…乗かごドア、７６…シャッター。
【図１】
2004155572.tif 000003
【図２】
2004155572.tif 000004
【図３】
2004155572.tif 000005
【図４】
2004155572.tif 000006
【図５】
2004155572.tif 000007
【図６】
2004155572.tif 000008
【図７】
2004155572.tif 000009
【図８】
2004155572.tif 000010
【図９】
2004155572.tif 000011
【図１０】
2004155572.tif 000012
【図１１】
2004155572.tif 000013
【図１２】
2004155572.tif 000014
【図１３】
2004155572.tif 000015
【図１４】
2004155572.tif 000016
【図１５】
2004155572.tif 000017
【図１６】
2004155572.tif 000018
【図１７】
2004155572.tif 000019
【図１８】
2004155572.tif 000020
【図１９】
2004155572.tif 000021
【図２０】
2004155572.tif 000022